(57)【要約】【課題】耐ノイズ性に優れたスリップリング装置を提供すること。【解決手段】      実施形態に係るスリップリング装置は、軸周りに回転可能な軸体と、それぞれがリング形状の導電体によって構成されるとともに、前記軸体を囲うように前記軸体に固定された複数の電極リング、を有する電極リング群と、それぞれが導電体によって構成されるとともに、前記複数の電極リングに接触可能に配置された複数のブラシ、を有するブラシ群と、前記軸体の長手方向において互いに離間し、前記電極リング群および前記ブラシ群を間に挟むように設けられた複数の絶縁体と、を具備する。前記ブラシ群は、所望の信号が伝送される信号用ブラシ、および前記信号用ブラシに近接配置され、一定電圧であるシールド用ブラシ、によって構成され、前記電極リング群は、前記信号用ブラシに接触可能な信号用電極リング、および前記信号用電極リングに近接配置され、前記シールド用ブラシに接触可能なシールド用電極リング、によって構成される。【選択図】図１
2016066512.tif 000002
【特許請求の範囲】
【請求項１】
軸周りに回転可能な軸体と、
それぞれがリング形状の導電体によって構成されるとともに、前記軸体を囲うように前記軸体に固定された複数の電極リング、を有する電極リング群と、
それぞれが導電体によって構成されるとともに、前記複数の電極リングに接触可能に配置された複数のブラシ、を有するブラシ群と、
前記軸体の長手方向において互いに離間し、前記電極リング群および前記ブラシ群を間に挟むように設けられた複数の絶縁体と、
を具備し、
前記ブラシ群は、所望の信号が伝送される信号用ブラシ、および前記信号用ブラシに近接配置され、一定電圧であるシールド用ブラシ、によって構成され、
前記電極リング群は、前記信号用ブラシに接触可能な信号用電極リング、および前記信号用電極リングに近接配置され、前記シールド用ブラシに接触可能なシールド用電極リング、によって構成されることを特徴とするスリップリング装置。
【請求項２】
前記ブラシ群は、所望の信号が伝送される信号用ブラシ、および前記信号用ブラシを間に挟むように前記信号用ブラシに近接配置され、互いに接地される複数のシールド用ブラシ、によって構成され、
前記電極リング群は、前記信号用ブラシに接触可能な信号用電極リング、および前記信号用電極リングを間に挟むように前記信号用電極リングに近接配置され、前記複数のシールド用ブラシに接触可能な複数のシールド用電極リング、によって構成されることを特徴とする請求項１に記載のスリップリング装置。
【請求項３】
前記信号用電極リングの直径は、前記シールド用電極リングの直径より小さいことを特徴とする請求項２に記載のスリップリング装置。
【請求項４】
前記信号用ブラシの曲率は、前記シールド用ブラシの曲率より小さいことを特徴とする請求項３に記載のスリップリング装置。
【請求項５】
前記信号用ブラシと前記シールド用ブラシとは、並行２線線路を形成することを特徴とする請求項１乃至４のいずれかに記載のスリップリング装置。
【発明の詳細な説明】
【技術分野】
【０００１】
本発明の実施形態は、スリップリング装置に関する。
【背景技術】
【０００２】
例えばアンテナ指向装置は、この装置の外部の信号源において生成された信号を受け取って、所望の方向に出力するものである。ここで、アンテナ指向装置のうち、少なくとも信号を出射する出力部位は回転するのに対して、出力部位に信号を供給する信号源は固定されている。このように、回転側の負荷と固定側の信号源とを電気的に接続するために、通常はスリップリング装置が用いられている。スリップリング装置は、回転側の負荷と固定側の信号源との間に、同軸ケーブルによって接続される。
【０００３】
このように回転側の負荷と固定側の信号源との間に接続されるスリップリング装置においては、耐ノイズ性が高いことが要求される。
【先行技術文献】
【特許文献】
【０００４】
【特許文献１】特開２０１２−１２４０４７号公報
【発明の概要】
【発明が解決しようとする課題】
【０００５】
実施形態は、耐ノイズ性に優れたスリップリング装置を提供することを目的とする。
【課題を解決するための手段】
【０００６】
実施形態に係るスリップリング装置は、軸周りに回転可能な軸体と、それぞれがリング形状の導電体によって構成されるとともに、前記軸体を囲うように前記軸体に固定された複数の電極リング、を有する電極リング群と、それぞれが導電体によって構成されるとともに、前記複数の電極リングに接触可能に配置された複数のブラシ、を有するブラシ群と、前記軸体の長手方向において互いに離間し、前記電極リング群および前記ブラシ群を間に挟むように設けられた複数の絶縁体と、を具備する。前記ブラシ群は、所望の信号が伝送される信号用ブラシ、および前記信号用ブラシに近接配置され、一定電圧であるシールド用ブラシ、によって構成され、前記電極リング群は、前記信号用ブラシに接触可能な信号用電極リング、および前記信号用電極リングに近接配置され、前記シールド用ブラシに接触可能なシールド用電極リング、によって構成される。
【図面の簡単な説明】
【０００７】
【図１】第１の実施形態に係るスリップリング装置を示す正面図である。
【図２Ａ】第１の実施形態に係るスリップリング装置の信号用電極リングおよび信号用ブラシを示す上面図である。
【図２Ｂ】第１の実施形態に係るスリップリング装置のシールド用電極リングおよびシールド用ブラシを示す上面図である。
【図３】第１の実施形態に係るスリップリング装置の一組のブラシ群および一組の電極リング群を示す要部拡大図である。
【図４】第２の実施形態に係るスリップリング装置を示す正面図である。
【図５】第２の実施形態に係るスリップリング装置の一組のブラシ群および一組の電極リング群を示す要部拡大図である。
【図６】第３の実施形態に係るスリップリング装置を示す正面図である。
【図７】第３の実施形態に係るスリップリング装置の信号用電極リングおよび信号用ブラシを示す上面図である。
【図８】信号用ブラシおよびシールド用ブラシの変形例を示す正面図である。
【図９】図８に示すシールド用ブラシおよびこのブラシに接するシールド用電極リングを示す上面図である。
【発明を実施するための形態】
【０００８】
以下に、実施形態に係るスリップリング装置について、図面を参照して詳細に説明する。
【０００９】
＜第１の実施形態＞
図１は、第１の実施形態に係るスリップリング装置を示す正面図である。なお、図１においては、カバーを取り除いた状態のスリップリング装置を示している。図１に示すスリップリング装置１０は、固定側の信号源（不図示）と、回転側の負荷（例えばアンテナ指向装置）（不図示）と、の間に同軸ケーブル（不図示）を介して接続され、信号源において生成された信号を負荷に伝送する。このスリップリング装置１０は、上下軸線方向に沿って回転する軸体１１、軸体１１の回転とともに回転する複数の電極リング１２、および複数の電極リング１２の外周面に接触する複数のブラシ１３、を備える。また、スリップリング装置１０は、複数の電極リング１２、複数のブラシ１３等を覆う筒状のカバー１４、を備える。
【００１０】
軸体１１は、例えばロータシャフトであって、軸受１５を介して固定体１６に、軸周りに回転自在に支持されている。
【００１１】
複数の電極リング１２の各々は、リング状の導電体であって、外周面には金めっきが施されており、軸体１１を囲うように軸体１１に固定されている。従って、複数の電極リング１２の各々は、軸体１１の回転によって回転する。複数の電極リング１２は、後述する信号用ブラシ１３ｓが接触することにより、信号源（不図示）において生成された信号が伝送される複数の信号用電極リング１２ｓ、および後述するシールド用ブラシ１３ｇが接触することにより一定電位（例えば接地電位）となる複数のシールド用電極リング１２ｇ、によって構成される。
【００１２】
互いに近接する信号用電極リング１２ｓおよびシールド用電極リング１２ｇは、互いに等しい直径（外径）のリング形状であって、軸体１１の長手方向に沿う方向に、わずかに離間して積層配置されており、一組の電極リング群１２Ｇを構成する。複数の電極リング１２は、複数組の電極リング群１２Ｇによって構成され、複数組の電極リング群１２Ｇは、軸体１１の長手方向に沿う方向に積層配置される。
【００１３】
電極リング群１２Ｇを構成する信号用電極リング１２ｓおよびシールド用電極リング１２ｇは、自身の特性インピーダンスが、各電極リング１２ｓ、１２ｇおよび後述のブラシ１３に接続される同軸ケーブル（不図示）の特性インピーダンスに実質的に一致するように設けられている。この結果、スリップリング装置１０に接続される同軸ケーブルとのインピーダンスの不整合が抑制される。なお、ここで述べる特性インピーダンスの実質的な一致とは、一致のみならず、相違する場合であっても、要求される性能を満足する程度に相違する場合も含まれる。以下、同様である。
【００１４】
各組の電極リング群１２Ｇは、軸体１１の長手方向において互いに離間するように設けられたリング状の２枚の絶縁体１７の間に挟まれている。２枚の絶縁体１７の各々は、軸体１１を囲うように軸体１１に固定されており、軸体１１の回転とともに回転する。これらの絶縁体１７は、各組の電極リング群１２Ｇを構成する複数の電極リング１２ｓ、１２ｇの外周面より外側にはみ出すように形成されている。この結果、各組の電極リング群１２Ｇの全体が絶縁体１７間に挟まれ、さらに、複数の電極リング１２ｓ、１２ｇに接触する複数のブラシ１３も、絶縁体１７の間に挟まれるように配置される。
【００１５】
なお、これらの電極リング１２ｓ、１２ｇは、一端が電極リング１２ｓ、１２ｇの内周面に固定されるとともに、他端が軸体１１に固定されたフランジ部１８の開口（不図示）から上方に引出され、電極リング１２ｓ、１２ｇの内部に配置された同軸ケーブル（不図示）を介して、フランジ部１８の上方に配置されるアンテナ指向装置（不図示）等の回転する負荷に接続される。
【００１６】
複数のブラシ１３は、信号源（不図示）において生成された信号が伝送され、複数の信号用電極リング１２ｓに接触可能な複数の信号用ブラシ１３ｓ、および一定電位（例えば接地電位）であり、複数のシールド用電極リング１２ｇに接触可能な複数のシールド用ブラシ１３ｇ、によって構成される。
【００１７】
互いに離間して近接配置される信号用ブラシ１３ｓおよびシールド用ブラシ１３ｇは、一組のブラシ群１３Ｇを構成する。複数のブラシ１３は、複数組のブラシ群１３Ｇによって構成される。
【００１８】
図２Ａは、信号用電極リングおよび信号用ブラシを示す上面図である。図２Ａに示すように、信号用電極リング１２ｓに接する信号用ブラシ１３ｓは、金等の導電性材料によって構成される一対の針状導電体である。信号用ブラシ１３ｓを構成する針状導電体は、絶縁性のブラシホルダ１９に固定されており、ブラシホルダ１９から離れるにしたがって互いの間隔が離れるように、ハ字状に設けられている。そして、信号用ブラシ１３ｓは、「ハ」字状に設けられた一対の針状導電体の間に配置される信号用電極リング１２ｓの外周面に接するように設けられている。
【００１９】
図２Ｂは、シールド用電極リングおよびシールド用ブラシを示す上面図である。図２Ｂに示すように、シールド用電極リング１２ｇおよびシールド用ブラシ１３ｇについても、信号用電極リング１２ｓおよび信号用ブラシ１３ｓと同様に設けられている。
【００２０】
なお、各々のブラシ１３ｓ、１３ｇは、スリップリング装置１０の外部に固定配置された信号源（不図示）に、同軸ケーブル（不図示）を介して接続されている。
【００２１】
図３は、一組のブラシ群および一組の電極リング群を示す要部拡大図である。図３に示すように、一組のブラシ群１３Ｇを構成する信号用ブラシ１３ｓおよびシールド用ブラシ１３ｇは、自身の特性インピーダンスが、各電極リング１２ｓ、１２ｇおよびブラシ群１３Ｇに接続されるそれぞれの同軸ケーブル（不図示）の特性インピーダンスに実質的に一致するように、並行２線線路を形成している。
【００２２】
ここで、並行２線線路を形成する信号用ブラシ１３ｓおよびシールド用ブラシ１３ｇの特性インピーダンスＺは、以下の式（１）によって算出される。
【００２３】
Ｚ＝（１／π）（μ／ε）１／２ ｃｏｓｈ−１（Ｄ／ｄ）・・・式（１）
なお、式（１）において、μは透磁率、εは誘電率、Ｄはブラシ（針状導電体）間の距離、ｄはブラシを構成する針状導電体の直径、ｃｏｓｈ−１は逆双曲線関数、を示す。
【００２４】
一組のブラシ群１３Ｇを構成する信号用ブラシ１３ｓおよびシールド用ブラシ１３ｇは、式（１）を用いて算出される自身の特性インピーダンスＺが、同軸ケーブルの特性インピーダンス（例えば５０Ω）に実質的に一致するように形成されている。この結果、信号用ブラシ１３ｓおよびシールド用ブラシ１３ｇは、これらのブラシ１３ｓ、１３ｇに接続される同軸ケーブルと同様の電気的構成を有し、同軸ケーブルとのインピーダンスの不整合が抑制される。
【００２５】
以上に説明した第１の実施形態に係るスリップリング装置１０によれば、一定電位となるシールド用電極リング１２ｇを信号用電極リング１２ｓに近接配置し、これらを一組の電極リング群１２Ｇとして用いている。また、シールド用ブラシ１３ｇを信号用ブラシ１３ｓに近傍配置し、これらを一組のブラシ群１３Ｇとして用いている。さらに、これら一組の電極リング群１２Ｇおよび一組のブラシ群１３Ｇは、絶縁体１７に挟まれている。したがって、耐ノイズ性に優れたスリップリング装置を提供することができる。
【００２６】
＜第２の実施形態＞
図４は、第２の実施形態に係るスリップリング装置を示す正面図である。なお、図４においても、カバーを取り除いた状態のスリップリング装置を示している。このスリップリング装置２０は、第１の実施形態に係るスリップリング装置１０と比較して、各組の電極リング群２２Ｇの構成が異なっている。また、電極リング群２２Ｇの構成の相違にともなって、各組のブラシ群２３Ｇの構成が異なっている。なお、他の構成については第１の実施形態に係るスリップリング装置１０と同様であるため、説明を省略する。
【００２７】
図４に示すように、各組の電極リング群２２Ｇは、信号用電極リング２２ｓ、およびこの電極リング２２ｓを間に挟むように配置された２つのシールド用電極リング２２ｇ、によって構成される。これらの電極リング２２ｓ、２２ｇは、互いに離間して近接配置されている。信号用電極リング２２ｓは、後述の信号用ブラシ２３ｓが接触することにより信号が伝送される電極リングであり、各々のシールド用電極リング２２ｇは、接地された後述のシールド用ブラシ２３ｇが接触することにより接地される電極リングである。これらの電極リング２２ｓ、２２ｇは、互いに等しい直径（外径）のリング形状である。
【００２８】
このような各組の電極リング群２２Ｇが、中空円盤状の２枚の絶縁体１７の間に挟まれている。
【００２９】
また、このような各組の電極リング群２２Ｇの構成に対応して、各組のブラシ群２３Ｇは、信号用ブラシ２３ｓおよびこのブラシ２３ｓを間に挟むように配置された２つのシールド用ブラシ２３ｇ、によって構成される。これらのブラシ２３ｓ、２３ｇは、互いに離間して近接配置されている。信号用ブラシ２３ｓは、信号源（不図示）から信号が伝送されるブラシであり、各々のシールド用ブラシ２３ｇは、接地されたブラシである。
【００３０】
図５は、一組のブラシ群および一組の電極リング群を示す要部拡大図である。図５に示すように、一組のブラシ群２３Ｇを構成する信号用ブラシ２３ｓおよび信号用ブラシ２３ｓの上方において隣接する一方のシールド用ブラシ２３ｇは、上述の式（１）を用いて算出される自身の特性インピーダンスＺが、スリップリング装置２０に接続される同軸ケーブルの特性インピーダンス（例えば５０Ω）に実質的に一致するように、並行２線線路を形成している。同様に、信号用ブラシ２３ｓおよび信号用ブラシ２３の下方において隣接する他方のシールド用ブラシ２３ｇも、上述の式（１）を用いて算出される自身の特性インピーダンスＺが、スリップリング装置２０に接続される同軸ケーブルの特性インピーダンス（例えば５０Ω）に実質的に一致するように、並行２線線路を形成している。この結果、信号用ブラシ２３ｓおよび各シールド用ブラシ２３ｇは、これらのブラシ２３ｓ、２３ｇに接続される同軸ケーブルと同様の電気的構成を有し、同軸ケーブルとのインピーダンスの不整合が抑制される。
【００３１】
以上に説明した第２の実施形態に係るスリップリング装置２０においても、接地されたシールド用電極リング２２ｇを信号用電極リング２２ｓに近接配置し、これらを一組の電極リング群２２Ｇとして用いている。また、シールド用ブラシ２３ｇを信号用ブラシ２３ｓに近傍配置し、これらを一組のブラシ群２３Ｇとして用いている。さらに、これら一組の電極リング群２２Ｇおよび一組のブラシ群２３Ｇは、絶縁体１７の間に挟まれている。したがって、耐ノイズ性に優れたスリップリング装置を提供することができる。
【００３２】
さらに、第２の実施形態に係るスリップリング装置２０においては、信号用電極リング２２ｓを接地された２つのシールド用電極リング２２ｇの間に挟むように配置するとともに、信号用ブラシ２３ｓを接地された２つのシールド用ブラシ２３ｇの間に挟むように配置している。したがって、第１の実施形態に係るスリップリング装置１０と比較して、より耐ノイズ性に優れたスリップリング装置を提供することができる。
【００３３】
＜第３の実施形態＞
図６は、第３の実施形態に係るスリップリング装置を示す正面図である。なお、図６においても、カバーを取り除いた状態のスリップリング装置を示している。このスリップリング装置３０は、第２の実施形態に係るスリップリング装置２０と比較して、各組の電極リング群３２Ｇの構成が異なっている。また、電極リング群３２Ｇの構成の相違にともなって、各組のブラシ群３３Ｇの構成が異なっている。なお、他の構成については第２の実施形態に係るスリップリング装置２０と同様であるため、説明を省略する。
【００３４】
図６に示すように、各組の電極リング群３２Ｇは、信号用電極リング３２ｓ、およびこの電極リング３２ｓを間に挟むように配置された２つのシールド用電極リング３２ｇ、によって構成される。この点においては、第２の実施形態に係るスリップリング装置２０と同様である。
【００３５】
しかしながら、第３の実施形態に係るスリップリング装置３０において、各組の電極リング群３２Ｇを構成する信号用電極リング３２ｓと、シールド用電極リング３２ｇとは、互いに直径（外径）が異なるリング形状である。信号用電極リング３２ｓの直径（外径）は、シールド用電極リング３２ｇの直径（外径）より小さくなっている。
【００３６】
そして、このような各組の電極リング群３２Ｇが、中空円盤状の２枚の絶縁体１７の間に挟まれている。
【００３７】
また、第２の実施形態に係るスリップリング装置２０と同様に、各組のブラシ群３３Ｇは、信号用ブラシ３３ｓおよびこのブラシ３３ｓを間に挟むように配置された２つのシールド用ブラシ３３ｇ、によって構成される。
【００３８】
しかしながら、各組の電極リング群３２Ｇの構成に対応して、信号用ブラシ３３ｓの曲率と、シールド用ブラシ３３ｇの曲率とは互いに異なっている。ここで、ブラシの曲率とは、ブラシを構成する２本の針状導電体の開き具合を示す。「曲率が大きい」とは、２本の針状導電体の開き具合が大きいことを示し、「曲率が小さい」とは、２本の針状導電体の開き具合が小さいことを示す。
【００３９】
図７は、信号用電極リングおよび信号用ブラシを示す上面図である。なお、図中の点線は、シールド用電極リング３２ｇおよびシールド用ブラシ３３ｇを示している。図７から明らかなように、信号用電極リング３２ｓの直径（外径）は、シールド用電極リング３２ｇの直径（外径）より小さくなっている。したがって、信号用電極リング３２ｓに接する信号用ブラシ３３ｓの曲率は、シールド用電極リング３２ｇに接するシールド用ブラシ３３ｇの曲率より小さくなっている。
【００４０】
以上に説明した第３の実施形態に係るスリップリング装置３０においても、信号用電極リング３２ｓを２つのシールド用電極リング３２ｇの間に挟むように配置するとともに、信号用ブラシ３３ｓを２つのシールド用ブラシ３３ｇの間に挟むように配置している。したがって、耐ノイズ性に優れたスリップリング装置を提供することができる。
【００４１】
さらに、第３の実施形態に係るスリップリング装置３０においては、信号用電極リング３２ｓの直径（外径）を、シールド用電極リング３２ｇの直径（外径）より小さくしているとともに、信号用ブラシ３３ｓの曲率を、シールド用ブラシ３３ｇの曲率より小さくしている。この結果、第２の実施形態に係るスリップリング装置２０と比較して、信号用電極リング３２ｓがより確実にシールド用電極リング３２ｇに囲まれるとともに、信号用ブラシ３３ｓがより確実にシールド用ブラシ３３ｇに囲まれる。この結果、第２の実施形態に係るスリップリング装置２０と比較して、より耐ノイズ性に優れたスリップリング装置を提供することができる。
【００４２】
以上に、本発明の実施形態を説明したが、この実施形態は、例として提示したものであり、発明の範囲を限定することは意図していない。これらの新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００４３】
例えば、上記第２、第３の実施形態に係るスリップリング装置２０、３０において、シールド用ブラシ２３ｇ、３３ｇは、左右１本ずつの針状導電体によって構成されており、シールド用ブラシ２３ｇ、３３ｇは、シールド用電極リング２２ｇ、３２ｇに対して２箇所で接している。しかしながら、シールド用ブラシを構成する針状導電体の数はこれに限定されない。例えば図８に示すように、シールド用ブラシ４３ｇは、左右２本ずつの針状導電体によって構成されてもよい。すなわち、シールド用ブラシ４３ｇは、左右１本ずつの針状導電体によって構成される第１のシールド用ブラシ４３ｇ−１、および左右１本ずつの針状導電体によって構成され、第１のシールド用ブラシ４３ｇ−１より小さい曲率を有する第２のシールド用ブラシ４３ｇ−２、によって構成されてもよい。このように、シールド用ブラシ４３ｇを、互いに曲率が異なる複数対の針状導電体によって構成することにより、シールド用ブラシ４３ｇとシールド用電極リング２２ｇ、３２ｇとの接触の信頼性を向上させることができる。
【００４４】
すなわち、シールド用電極リング２２ｇ、３２ｇは回転するため振動する。この振動周波数がシールド用ブラシ４３ｇの共振周波数に一致したとき、シールド用ブラシ４３ｇも振動して、シールド用電極リング２２ｇ、３２ｇから離れ、両者が電気的に絶縁される。しかしながら、シールド用ブラシ４３ｇの共振周波数は、一対の針状導電体の曲率によって異なる。したがって、図９に示すように、シールド用ブラシ４３ｇを、互いに曲率が異なる複数対の針状導電体によって構成された第１、第２のシールド用ブラシ４３ｇ−１、４３ｇ−２によって構成することにより、第１のシールド用ブラシ４３ｇ−１と第２のシールド用ブラシ４３ｇ−２とで互いに共振周波数を異ならせることができる。このため、例えば第１のシールド用ブラシ４３ｇ−１が共振してシールド用電極リング２２ｇ、３２ｇから離れても、共振周波数が異なる第２のシールド用ブラシ４３ｇ−２は共振せず、シールド用電極リング２２ｇ、３２ｇに接したままとなる。したがって、シールド用ブラシ４３ｇとシールド用電極リング２２ｇ、３２ｇとの接触の信頼性を向上させることができる。
【符号の説明】
【００４５】
１０、２０、３０・・・スリップリング装置
１１・・・軸体
１２、２２、３２・・・電極リング
１２ｓ、２２ｓ、３２ｓ・・・信号用電極リング
１２ｇ、２２ｇ、３２ｇ・・・シールド用電極リング
１２Ｇ、２２Ｇ、３２Ｇ・・・電極リング群
１３、２３、３３・・・ブラシ
１３ｓ、２３ｓ、３３ｓ・・・信号用ブラシ
１３ｇ、２３ｇ、３３ｇ、４３ｇ・・・シールド用ブラシ
１３Ｇ、２３Ｇ、３３Ｇ・・・ブラシ群
１４・・・カバー
１５・・・軸受
１６・・・固定体
１７・・・絶縁体
１８・・・フランジ部
１９・・・ブラシホルダ
４３ｇ−１・・・第１のシールド用ブラシ
４３ｇ−２・・・第２のシールド用ブラシ
【図１】
2016066512.tif 000003
【図２Ａ】
2016066512.tif 000004
【図２Ｂ】
2016066512.tif 000005
【図３】
2016066512.tif 000006
【図４】
2016066512.tif 000007
【図５】
2016066512.tif 000008
【図６】
2016066512.tif 000009
【図７】
2016066512.tif 000010
【図８】
2016066512.tif 000011
【図９】
2016066512.tif 000012